(57)【特許請求の範囲】
【請求項１】
（ａ）タッチパネルを重ねた状態で暗証番号入力画面を表示し、かつ、操作者がタッチパネルをタッチすることによって所定の情報が入力される表示・入力装置を有するとともに、
（ｂ）前記暗証番号入力画面に表示されるテンキーの各数字キー及び他のキー上において、数字キー自体に対する暗証番号入力用の数字の寸法が他のキー自体に対する文字の寸法より小さくされることを特徴とする暗証番号の入力装置。
【請求項２】
前記各数字キーの位置はランダムに変更される請求項１に記載の暗証番号の入力装置。
【請求項３】
（ａ）タッチパネルを重ねた状態で暗証番号入力画面を表示し、かつ、操作者がタッチパネルをタッチすることによって所定の情報が入力される表示・入力装置と、
（ｂ）操作者がタッチパネルをタッチしたことを検出するタッチ検出手段と、
（ｃ）操作者がタッチパネルをタッチした状態に対応する数字を表示する数字表示手段と、
（ｄ）操作者がタッチパネルをタッチした状態に基づいて、表示された数字を暗証番号の数字として決定する数字決定手段とを有するとともに、
（ｅ）前記数字表示手段は、ドラッグが行われた距離に対応する数字を表示することを特徴とする暗証番号の入力装置。
【請求項４】
（ａ）タッチパネルを重ねた状態で暗証番号入力画面を表示し、かつ、操作者がタッチパネルをタッチすることによって所定の情報が入力される表示・入力装置と、
（ｂ）操作者がタッチパネルをタッチしたことを検出するタッチ検出手段と、
（ｃ）操作者がタッチパネルをタッチした状態に対応する数字を表示する数字表示手段と、
（ｄ）操作者が表示された数字に対してタッチパネルの所定のキーをタッチしたことによって、表示された数字を暗証番号の数字として決定する数字決定手段とを有するとともに、
（ｅ）前記数字表示手段は、操作者がタッチパネルをタッチした時間に対応する数字を表示することを特徴とする暗証番号の入力装置。
【発明の詳細な説明】
【０００１】
【発明の属する技術分野】
本発明は、暗証番号の入力装置に関するものである。
【０００２】
【従来の技術】
従来、金融機関に配設されるＡＴＭ、コンビニエンスストアに配設され、カタログ情報に従って商品を購入するための情報端末等の顧客操作型決済端末においては、キャッシュカードを使用して即時に決済を行うことができるようになっている。
【０００３】
図２は従来の顧客操作型決済端末の斜視図である。なお、この場合、情報端末について説明する。
図において、１１はカタログ情報に従って商品を購入するための情報端末、１２はタッチパネル付きのディスプレイを備えたモニタであり、該モニタ１２は前記ディスプレイにカタログ情報等の画面が階層的に表示される。また、１３は図示されないキャッシュカードを挿脱し、かつ、キャッシュカードに対する情報の読取り及び書込みを行うためのカード読取書込部、１４は図示されないレシートに対する印刷、及びレシートの排出を行うレシートプリント出力部である。
【０００４】
前記構成の情報端末１１においては、操作者としての顧客が、各画面においてタッチパネルをタッチして項目を選択し、購入したい商品を指定すると、購入者氏名・送付先誘導画面が表示される。続いて、顧客は、前記購入者氏名・送付先誘導画面においてタッチパネルをタッチし、購入者の氏名、送付先等を入力する。次に、顧客は、キャッシュカードをカード読取書込部１３に挿入し、暗証番号入力画面、支払金額入力画面等において暗証番号及び支払金額を入力すると、例えば、ＩＳＤＮ回線を介して決済センタのホストコンピュータによって暗証番号の照合が行われ、暗証番号が正しい場合、顧客の原簿が更新され、残高から支払金額、手数料及び配送料が差し引かれる。
【０００５】
このようにして、決済が終了すると、前記ホストコンピュータから前記情報端末１１に取引内容の下りデータが送信される。前記情報端末１１は下りデータを受信すると、該下りデータの一部を編集して、レシートプリント出力部１４からレシートを排出する。そして、顧客がレシートを受け取ると、取引きが終了する。
【０００６】
図３は従来のディスプレイにおける暗証番号入力画面の例を示す図である。
図に示されるように、暗証番号入力画面の中央付近の所定の領域ＡＲ１に０〜９の数字キーから成るテンキー３１が表示され、顧客が、暗証番号入力画面の上端部の所定の領域ＡＲ３に表示された「暗証番号を入力して下さい。」のメッセージに従って、前記テンキー３１の所定の数字キーを順次タッチするたびに、タッチされた数字キーに対応する各アスタリスクが領域ＡＲ２に順次表示され、４桁（けた）から成る暗証番号が入力される。
【０００７】
次に、顧客が「確認」キー３２をタッチすると、暗証番号の照合が開始される。なお、前記数字キーを誤ってタッチした場合は、「取消」キー３３をタッチすることによって、暗証番号入力画面を初期状態にすることができる。
【０００８】
【発明が解決しようとする課題】
しかしながら、前記従来の情報端末１１において、第三者が、何らかの方法で顧客のキャッシュカードを得ることができた場合、例えば、顧客の動作を観察することによって、顧客の指の動きに基づいて暗証番号を知ることができると、前記キャッシュカードが悪用されてしまう。
【０００９】
本発明は、前記従来の情報端末１１の問題点を解決して、第三者が、顧客の動作を観察しても、暗証番号を知ることができず、顧客のキャッシュカードが悪用されることがない暗証番号の入力装置を提供することを目的とする。
【００１０】
【課題を解決するための手段】
そのために、本発明の暗証番号の入力装置においては、タッチパネルを重ねた状態で暗証番号入力画面を表示し、かつ、操作者がタッチパネルをタッチすることによって所定の情報が入力される表示・入力装置を有する。
そして、前記暗証番号入力画面に表示されるテンキーの各数字キー及び他のキー上において、数字キー自体に対する暗証番号入力用の数字の寸法が他のキー自体に対する文字の寸法より小さくされる。
【００１３】
【発明の実施の形態】
以下、本発明の実施の形態について図面を参照しながら詳細に説明する。なお、この場合、顧客操作型決済端末として、カタログ情報に従って商品を購入するための情報端末について説明する。
図４は本発明の第１の実施の形態における情報端末のブロック図である。
図において、１１は情報端末、１５は制御部であり、該制御部１５は、ＣＰＵ、メモリ等から成るマザーボード１５ａ、ＨＤＤ１５ｂ、ＩＯインタフェース部１５ｃ等を備え、情報端末１１の全体の制御を行う。
【００１４】
そして、前記制御部１５には、図示されないディスプレイを備えた表示部１６、及び図示されないタッチパネルを備えたタッチパネル操作部１７が接続される。前記表示部１６は、前記ディスプレイにタッチパネルを重ねた状態で各種の画面を表示し、タッチパネル操作部１７は、操作者としての顧客がタッチパネルをタッチすることによって入力された情報を取り込む。そして、表示部１６及びタッチパネル操作部１７によって、マンマシンインタフェースとしてのモニタ、すなわち、表示・入力装置が構成される。なお、前記画面にカタログ情報としての写真等をできる限り正確に表示することができるように、ディスプレイとして、例えば、大型（レシートプリント出力部１インチ以上）のＬＣＤが使用される。そして、視野角がＬＣＤの平面に対して直角の方向になると、画面が見やすくなるので、図２に示されるように、モニタ１２（図２参照）はほぼ鉛直になるようにセットされる。
【００１５】
また、前記制御部１５には、図示されないキャッシュカードを挿脱し、かつ、キャッシュカードに対する情報の読取り及び書込みを行うためのカード読取書込部１３、図示されないレシートに対する印刷、及びレシートの排出を行うレシートプリント出力部１９、及びＩＳＤＮ回線を介して決済センタとの間の通信を制御する回線制御部２０が接続される。
【００１６】
そして、２１は、交流から直流への変換を行い、情報端末１１内の各要素に直流電圧を印加する電源部である。
前記構成の情報端末１１においては、顧客が、各画面においてタッチパネルをタッチして項目を選択し、購入したい商品を指定すると、購入者氏名・送付先誘導画面が表示される。続いて、顧客は、前記購入者氏名・送付先誘導画面においてタッチパネルをタッチし、購入者の氏名、送付先等を入力する。次に、顧客は、キャッシュカードをカード読取書込部１３に挿入し、暗証番号入力画面、支払金額入力画面等において暗証番号及び支払金額を入力すると、例えば、ＩＳＤＮ回線を介して決済センタのホストコンピュータによって暗証番号の照合が行われ、暗証番号が正しい場合、顧客の原簿が更新され、残高から支払金額、手数料及び配送料が差し引かれる。
【００１７】
このようにして、決済が終了すると、前記ホストコンピュータから前記情報端末１１に取引内容の下りデータが送信される。前記情報端末１１は下りデータを受信すると、該下りデータの一部を編集して、レシートプリント出力部１９からレシートを排出する。そして、顧客がレシートを受け取ると、取引きが終了する。
【００１８】
次に、暗証番号入力画面について説明する。
図１は本発明の第１の実施の形態における暗証番号入力画面の例を示す図である。
図に示されるように、暗証番号入力画面の中央付近の所定の領域ＡＲ１に０〜９の数字キーから成るテンキー３５が表示され、顧客が、暗証番号入力画面の上端部の所定の領域ＡＲ３に表示された「暗証番号を入力して下さい。」のメッセージに従って、前記テンキー３５の所定の数字キーを順次タッチするたびに、タッチされた数字キーに対応する各アスタリスクが領域ＡＲ２に順次表示され、４桁から成る暗証番号が入力される。
【００１９】
次に、顧客が「確認」キー３２をタッチすると、暗証番号の照合が開始される。なお、前記数字キーを誤ってタッチした場合は、「取消」キー３３をタッチすることによって、暗証番号入力画面を初期状態にすることができる。
この場合、制御部１５（図４）内の図示されないテンキー制御手段は、暗証番号入力画面が設定されるたびに、図示されない乱数表を参照し、テンキー３５の各数字キーの位置をランダムに変更する。したがって、顧客が表示された数字キーを見ながら暗証番号を入力する間、第三者が、顧客の動作を観察しても、暗証番号を知ることができず、顧客のキャッシュカードが悪用されることがない。
【００２０】
しかも、従来の顧客操作型決済端末のハード構成をそのまま使用することができ、従来の顧客操作型決済端末と外観を同じにすることができるので、暗証番号の入力装置のコストを低くすることができるだけでなく、設計変更のための作業を簡素化することができる。
さらに、暗証番号入力画面以外の各画面は従来の顧客操作型決済端末をそのまま使用することができるので、従来の顧客操作型決済端末の視野性を維持することができる。
【００２１】
次に、本発明の第２の実施の形態について説明する。なお、第１の実施の形態と同じ構造を有するものについては、同じ符号を付与することによってその説明を省略する。
図５は本発明の第２の実施の形態における暗証番号入力画面の例を示す図である。
【００２２】
図において、制御部１５（図４）内の図示されないテンキー制御手段は、暗証番号入力画面が設定されるたびに、図示されない乱数表を参照し、テンキー３６の各数字キーの位置をランダムに変更する。また、前記テンキー３６の各数字キーにおける数字の寸法が、前記暗証番号入力画面に表示される「確認」キー３２、「取消」キー３３等の他のキーにおける文字の寸法より小さくされる。したがって、情報端末１１から１〔ｍ〕以内の範囲に居る者だけが数字キーに表示された数字を判別することができ、遠くから暗証番号入力画面を観察しても、前記数字を判別することができない。
【００２３】
次に、本発明の第３の実施の形態について説明する。なお、第１の実施の形態と同じ構造を有するものについては、同じ符号を付与することによってその説明を省略する。
図６は本発明の第３の実施の形態における暗証番号入力画面の例を示す図である。
【００２４】
この場合、暗証番号入力画面の下端部の中央付近の所定の領域ＡＲ４に、０〜９の数字キーから成るテンキー３８が表示される。したがって、暗証番号入力画面上において、前記テンキー３８が操作者としての顧客の影３９に隠れるので、第三者が、暗証番号入力画面を観察することができず、数字キーに表示された数字を判別することができない。
【００２５】
本実施の形態においては、前記テンキー３８の各数字キーにおける数字の寸法が、前記暗証番号入力画面に表示される他のキーにおける文字の寸法と等しくされるが、他のキーにおける文字の寸法より小さくすることもできる。
次に、本発明の第４の実施の形態について説明する。なお、第３の実施の形態と同じ構造を有するものについては、同じ符号を付与することによってその説明を省略する。
【００２６】
図７は本発明の第４の実施の形態における暗証番号入力画面の例を示す図である。
この場合、制御部１５（図４）内の図示されないテンキー制御手段は、暗証番号入力画面が設定されるたびに、図示されない乱数表を参照し、テンキー４０の各数字キーの位置をランダムに変更する。したがって、操作者としての顧客が表示された数字キーを見ながら暗証番号を入力すると、第三者が、顧客の動作を観察しても、暗証番号を知ることができない。
【００２７】
次に、本発明の第５の実施の形態について説明する。なお、第１の実施の形態と同じ構造を有するものについては、同じ符号を付与することによってその説明を省略する。
図８は本発明の第５の実施の形態における暗証番号入力画面の例を示す図である。
【００２８】
この場合、操作者としての顧客がタッチパネル上の所定の位置をタッチすると、タッチパネル操作部１７（図４）のタッチ検出手段は、タッチパネルがタッチされたことを検出し、検出信号を制御部１５に送る。そして、顧客が、前記タッチパネル上において指を摺（しゅう）動させてドラッグを行うと、制御部１５内の図示されないドラッグ距離検出手段は、ドラッグを開始した位置４５からドラッグを終了した位置４６までの距離Ｌを検出する。続いて、制御部１５内の図示されない数字表示手段は、図示されないテーブルを参照して前記距離Ｌに対応する数字を読み出し、読み出された数字を暗証番号入力画面の下端部の中央付近の所定の領域ＡＲ５に表示する。
【００２９】
そして、前記領域ＡＲ５に表示された数字と暗証番号の１桁目の数字とが一致したときに、顧客が前記ドラッグを終了した位置４６の近傍をダブルタッチすると、制御部１５内の図示されない数字決定手段によって、前記領域ＡＲ５に表示された数字が暗証番号の１桁目の数字として決定される。同様に、暗証番号の２桁目〜４桁目の数字が入力されて決定される。
【００３０】
本実施の形態においては、暗証番号入力画面上において、前記領域ＡＲ５が顧客の影３９（図６）に隠れるので、第三者が、暗証番号入力画面を観察することができず、領域ＡＲ５に表示された数字を判別することができない。また、領域ＡＲ５には、１桁の数字だけが表示されるので、第三者が顧客の動作を観察しても暗証番号を知ることが極めて困難になる。
【００３１】
次に、本発明の第６の実施の形態について説明する。なお、第５の実施の形態と同じ構造を有するものについては、同じ符号を付与することによってその説明を省略する。
図９は本発明の第６の実施の形態における暗証番号入力画面の例を示す図である。
【００３２】
この場合、操作者としての顧客が暗証番号入力画面の中央付近の所定の位置に配設された「↑」キー５１をタッチすると、タッチパネル操作部１７（図４）のタッチ検出手段は、「↑」キー５１がタッチされたことを検出し、検出信号を制御部１５に送る。そして、該制御部１５は、検出信号を受けると、内蔵された図示されない第１のタイマによる計時を開始し、図示されないタッチ時間算出手段によって、「↑」５１キーがタッチされている時間τ１を算出する。続いて、制御部１５内の図示されない数字表示手段は、図示されないアップテーブルを参照して前記時間τ１に対応する数字を読み出し、読み出された数字を暗証番号入力画面の下端部の中央付近の所定の領域ＡＲ５に表示する。
【００３３】
例えば、時間τ１が０．５秒経過するたびに数字が１ずつ多くなるように前記アップテーブルが設定されている場合、「↑」キー５１が４秒間タッチされると、領域ＡＲ５に「８」が表示される。
一方、顧客が「↑」キー５１の下方に配設された「↓」キー５２をタッチすると、前記タッチ検出手段は、「↓」キー５２がタッチされたことを検出し、検出信号を制御部１５に送る。そして、制御部１５は、検出信号を受けると、内蔵された図示されない第２のタイマによる計時を開始し、前記タッチ時間算出手段によって、「↓」５２キーがタッチされている時間τ２を算出する。続いて、前記数字表示手段は、図示されないダウンテーブルを参照して前記時間τ２に対応する数字を読み出し、読み出された数字を領域ＡＲ５に表示する。
【００３４】
そして、該領域ＡＲ５に表示された数字と暗証番号の１桁目の数字とが一致したときに、顧客が「決定」キー５３をタッチすると、制御部１５内の図示されない数字決定手段によって、表示された数字が暗証番号の１桁目の数字として決定される。同様に、暗証番号の２桁目〜４桁目の数字が入力されて決定される。
【００３５】
なお、本発明は前記実施の形態に限定されるものではなく、本発明の趣旨に基づいて種々変形させることが可能であり、それらを本発明の範囲から排除するものではない。
【００３６】
【発明の効果】
以上詳細に説明したように、本発明によれば、タッチパネルを重ねた状態で暗証番号入力画面を表示し、かつ、操作者がタッチパネルをタッチすることによって所定の情報が入力される表示・入力装置を有する。
そして、前記暗証番号入力画面に表示されるテンキーの各数字キー及び他のキー上において、数字キー自体に対する暗証番号入力用の数字の寸法が他のキー自体に対する文字の寸法より小さくされる。
【００３７】
この場合、テンキーにおいて、数字キー自体に対する暗証番号入力用の数字の寸法が他のキー自体に対する文字の寸法より小さくされるので、顧客操作型決済端末から１〔ｍ〕以内の範囲に居る者だけが数字キーに表示された数字を判別することができ、第三者が、遠くから暗証番号入力画面を観察しても、前記数字を判別することができない。
【図面の簡単な説明】
【図１】本発明の第１の実施の形態における暗証番号入力画面の例を示す図である。
【図２】従来の顧客操作型決済端末の斜視図である。
【図３】従来のディスプレイにおける暗証番号入力画面の例を示す図である。
【図４】本発明の第１の実施の形態における情報端末のブロック図である。
【図５】本発明の第２の実施の形態における暗証番号入力画面の例を示す図である。
【図６】本発明の第３の実施の形態における暗証番号入力画面の例を示す図である。
【図７】本発明の第４の実施の形態における暗証番号入力画面の例を示す図である。
【図８】本発明の第５の実施の形態における暗証番号入力画面の例を示す図である。
【図９】本発明の第６の実施の形態における暗証番号入力画面の例を示す図である。
【符号の説明】
１５    制御部
１６    表示部
１７    タッチパネル操作部
３５、３６、３８、４０    テンキー
【図１】
0003589874.tif 000002
【図２】
0003589874.tif 000003
【図３】
0003589874.tif 000004
【図４】
0003589874.tif 000005
【図５】
0003589874.tif 000006
【図６】
0003589874.tif 000007
【図７】
0003589874.tif 000008
【図８】
0003589874.tif 000009
【図９】
0003589874.tif 000010